(57)【特許請求の範囲】
【請求項１】
モバイル装置による無線通信のための方法であって、
第１の電力節約クラス（ｐｏｗｅｒ  ｓａｖｉｎｇ  ｃｌａｓｓ：ＰＳＣ）に従って第１の接続に関して第１の低電力状態に入ることと、
第２のＰＳＣに従って第２の接続に関して第２の低電力状態に入ることと、
および、前記第１の接続のリスニングウィンドウおよび前記第２の接続のスリープウィンドウのオーバーラップ期間の間に前記第２の接続に関連するデータを交換するために前記第１の接続に割り付けられるバンド幅を利用することと
を備える方法。
【請求項２】
前記第１の接続に割り付けられるバンド幅を利用することは、
前記第１の接続のリスニングウィンドウの間に前記第２の接続に関連する１つ以上のＭＡＣプロトコルデータユニット（ＭＡＣ  ｐｒｏｔｏｃｏｌ  ｄａｔａ  ｕｎｉｔ：ＭＰＤＵ）を送信することを備える請求項１の方法。
【請求項３】
前記第２の接続が前記第１の接続の前記バンド幅を利用することが許可可能であることを示すために１つ以上のフラグをセットすることをさらに備える請求項１の方法。
【請求項４】
前記第１の接続に割り付けられたバンド幅を利用することは、
前記１つ以上のフラグがセットされると決定する後に前記第２の接続に関連するデータを交換することを備える請求項３の方法。
【請求項５】
前記１つ以上のフラグをセットすることは、
前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送ることを備える請求項３の方法。
【請求項６】
前記第１の接続に割り付けられるバンド幅を利用することは、
前記第１の接続に関連するデータの前記交換が前記第２の接続に関連するデータの前記交換に対する優先権を持っているかどうか最初に判断することを備える請求項１の方法。
【請求項７】
前記第１の接続に割り付けられるバンド幅を利用することは、
前記第１の接続に関連するデータの前記交換が前記第２の接続に関連するデータの前記交換に対する優先権を持っていることを決めることと、
および前記第１の接続に関連するデータが交換される後に前記第２の接続に関連するデータを交換することと
を備える、請求項６の方法。
【請求項８】
モバイル装置による無線通信のための装置であって、
第１の電力節約クラス（ＰＳＣ）に従って第１の接続に関して第１の低電力状態に入るためのロジックと、
第２のＰＳＣに従って第２の接続に関して第２の低電力状態に入るためのロジックと、
および前記第１の接続のリスニングウィンドウおよび前記第２の接続のスリープウィンドウのオーバーラップ期間の間に前記第２の接続に関連するデータを交換するために前記第１の接続に割り付けられるバンド幅を利用するためのロジックと
を備える装置。
【請求項９】
前記第１の接続に割り付けられるバンド幅を利用するための前記ロジックは、
前記第１の接続の前記リスニングウィンドウの間に前記第２の接続に関連する１つ以上のＭＡＣプロトコルデータユニット（ＭＰＤＵ）を送信するためのロジックを備える、請求項８の装置。
【請求項１０】
前記第２の接続が前記第１の接続の前記バンド幅を利用することが許可可能であることを示すために１つ以上のフラグをセットするためのロジックをさらに備える、請求項８の装置。
【請求項１１】
前記第１の接続に割り付けられたバンド幅を利用するための前記ロジックは、
前記１つ以上のフラグがセットされることを決定する後に前記第２の接続に関連するデータを交換するように構成される請求項１０の装置。
【請求項１２】
前記１つ以上のフラグをセットするための前記ロジックは、
前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送信するためのロジックを備える、請求項１０の装置。
【請求項１３】
前記第１の接続に割り付けられたバンド幅を利用するための前記ロジックは、
第１の接続に関連するデータの前記交換が前記第２の接続に関連するデータの前記交換に対して優先権を持っているかどうかを最初に判断するためのロジックを備える、請求項８の装置。
【請求項１４】
前記第１の接続に割り付けられたバンド幅を利用するための前記ロジックは、
前記第１の接続に関連するデータの前記交換が前記第２の接続に関連するデータの前記交換に対して優先権を持っていることを決めるためのロジックと、
および、前記第１の接続に関連するデータが交換された後に前記第２の接続に関連するデータを交換するためのロジックと
を備える、請求項１３の装置。
【請求項１５】
モバイル装置による無線通信のための装置であって、
第１の電力節約クラス（ＰＳＣ）に従って第１の接続に関して第１の低電力状態に入るための手段と、
第２のＰＳＣに従って第２の接続に関して第２の低電力状態に入るための手段と、
および前記第１の接続のリスニングウィンドウおよび前記第２の接続のスリープウィンドウのオーバーラップ期間の間に前記第２の接続に関連するデータを交換するために前記第１の接続に割り付けられたバンド幅を利用するための手段と
を備える装置。
【請求項１６】
前記第１の接続に割り付けられたバンド幅を利用するための前記手段は、
前記第１の接続の前記リスニングウィンドウの間に前記第２の接続に関連する１つ以上のＭＡＣプロトコルデータユニット（ＭＰＤＵ）を送信するための手段を備える、請求項１５の装置。
【請求項１７】
前記第２の接続が前記第１の接続の前記バンド幅を利用することが許可可能であることを示すために１つ以上のフラグをセットするための手段をさらに備える請求項１５の装置。
【請求項１８】
前記第１の接続に割り付けられたバンド幅を利用するための前記手段は、
１つ以上のフラグがセットされたと決定する後に前記第２の接続に関連するデータを交換するように構成される請求項１７の装置。
【請求項１９】
１つ以上のフラグをセットするための前記手段は、
前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送信するための手段を備える請求項１７の装置。
【請求項２０】
前記第１の接続に割り付けられたバンド幅を利用するための前記手段は、
前記第１の接続に関連するデータの前記交換が前記第２の接続に関連するデータの前記交換に対して優先権を持っているかどうか最初に決定するための手段を備える、請求項１５の装置。
【請求項２１】
前記第１の接続に割り付けられたバンド幅を利用するための前記手段は、
前記第１の接続に関連するデータの前記交換が前記第２の接続に関連するデータの前記交換に対して優先権を持っていることを決定するための手段と、
および前記第１の接続に関連するデータが交換される後に前記第２の接続に関連するデータを交換するための手段と
を備える、請求項２０の装置。
【請求項２２】
モバイル装置による無線通信のためのコンピュータ可読記憶媒体であって、
その上に命令を格納し、
前記命令は、
１台以上のプロセッサに第１の電力節約クラス（ＰＳＣ）に従って第１の接続に関して第１の低電力状態に入ることをさせるための命令と、
１台以上のプロセッサに第２のＰＳＣに従って第２の接続に関して第２の低電力状態に入ることをさせるための命令と、
および１台以上のプロセッサに前記第１の接続のリスニングウィンドウと前記第２の接続のスリープウィンドウのオーバーラップ期間の間に前記第２の接続に関連するデータを交換するために前記第１の接続に割り付けられたバンド幅を利用することをさせるための命令と
を備える、コンピュータ可読記憶媒体。
【請求項２３】
１台以上のプロセッサに前記第１の接続に割り付けられるバンド幅を利用することをさせるための前記命令は、
１台以上のプロセッサに前記第１の接続の前記リスニングウィンドウの間に前記第２の接続に関連する１つ以上のＭＡＣプロトコルデータユニット（ＭＰＤＵ）を送信することをさせるための命令を備える請求項２２のコンピュータ可読記憶媒体。
【請求項２４】
前記第２の接続が前記第１の接続の前記バンド幅を利用することが許可可能であることを示すために１台以上のプロセッサに１つ以上のフラグをセットすることをさせるための命令をさらに備える請求項２２のコンピュータ可読記憶媒体。
【請求項２５】
１台以上のプロセッサに前記第１の接続に割り付けられたバンド幅を利用することをさせるための前記命令は、
１台以上のプロセッサに前記１つ以上のフラグがセットされたことを決定する後に前記第２の接続に関連するデータを交換することをさせるための命令を備える、請求項２４のコンピュータ可読記憶媒体。
【請求項２６】
１台以上のプロセッサに前記１つ以上のフラグをセットすることをさせるための前記命令は、
１台以上のプロセッサに前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送信することをさせるための命令を備える請求項２４のコンピュータ可読記憶媒体。
【請求項２７】
１台以上のプロセッサに前記第１の接続に割り付けられるバンド幅を利用することをさせるための前記命令は、
１台以上のプロセッサに前記第１の接続に関連するデータの前記交換が前記第２の接続に関連するデータの前記交換に対して優先権を持っているかどうか最初に決定することをさせるための命令
を備える、請求項２２のコンピュータ可読記憶媒体。
【請求項２８】
１台以上のプロセッサに前記第１の接続に割り付けられるバンド幅を利用することをさせるための前記命令は、
１台以上のプロセッサに前記第１の接続に関連するデータの前記交換が前記第２の接続に関連するデータの前記交換に対して優先権を持っていることを決定することをさせるための命令と、
および１台以上のプロセッサに前記第１の接続に関連するデータが交換される後に前記第２の接続に関連するデータを交換することをさせるための命令と
を備える請求項２７のコンピュータ可読記憶媒体。
【発明の詳細な説明】
【技術分野】
【０００１】
本開示のある実施例は、一般的には、無線通信に関係し、およびより具体的にはサービスする基地局との多数の接続を維持する移動局に関係がある。
【発明の概要】
【０００２】
本開示のある実施例は、モバイル装置による無線通信のための方法を提供する。方法は、一般的に、第１のＰＳＣに従って第１の接続に関して第１の低電力状態に入ること、第２のＰＳＣに従って第２の接続に関して第２の低電力状態に入ること、第１の接続のリスニング（ｌｉｓｔｅｎｉｇ）ウィンドウと第２の接続のスリープウィンドウのオーバーラップ期間の間に第２の接続に関連するデータを交換するために第１の接続に割り付けられる帯域幅を利用することを含む。
【０００３】
ある実施例はモバイル装置による無線通信のために装置を提供する。装置は、第１の電力節約クラス（ｐｏｗｅｒ  ｓａｖｉｎｇ  ｃｌａｓｓ：ＰＳＣ）に従う第１の接続に関しての第１の低電力状態に入るためのロジック、第２のＰＳＣに従って第２の接続に関して別の低電力状態に入るためのロジック、および第１の接続のリスニングウィンドウと第２の接続のスリープウィンドウのオーバーラップ期間に第２の接続に関連するデータを交換するために第１の接続に割り付けられるバンド域幅を利用するためのロジックを含むことができる。
【０００４】
ある実施例はモバイル装置による無線通信のために装置を提供する。装置は、一般的に、第１の電力節約クラス（ＰＳＣ）に従って第１の接続に関して第１の低電力状態に入るための手段、第２のＰＳＣに従って第２の接続に関して第２の低電力状態に入るための手段、および第１の接続のリスニングウィンドウと第２の接続のスリープウィンドウのオーバーラップ期間に第２の接続に関連するデータを交換するために第１の接続に割り付けられるバンド幅を利用するための手段を含む。
【０００５】
ある実施例は、命令を格納しているコンピュータ可読媒体を含備えるモバイル装置による無線通信のためにコンピュータプログラム製品を提供し、前記命令は、１つ以上のプロセッサによって実行可能である。命令は、一般的に、第１の電力節約クラス（ＰＳＣ）に従う第１の接続に関しての第１の低電力状態に入るための命令と、第２のＰＳＣに従う第２の接続に関しての第２の低電力状態に入るための命令と、および利用するバンド幅のための命令、第１の接続のリスニングウィンドウと第２の接続のスリープウィンドウのオーバーラップ期間の間に第２の接続に関連するデータを交換するために第１の接続に割り付けられるバンド幅を利用するための命令を含む。
【図面の簡単な説明】
【０００６】
本開示の上記の引用された特徴が詳細に理解されることができるために、簡潔に上に要約されたより特有の記述が、実施例への参照によって持たれて得て、それらのうちのいくらかは添付された図面において例示される。添付された図面がこの開示のある典型的な実施例だけを例示し、それゆえ、記載は他の等しく有効な実施例を認め得るため、その範囲を限定して考慮することができないことは注目されるべきである。
【図１】図１は、本開示のある実施例に従って、例の無線通信システムを例示する。
【図２】図２は、本開示のある実施例に従って無線デバイスにおいて利用されて得るさまざまなコンポーネントを例示する。
【図３】図３は、現在の開示のある実施例に従って直交周波数分割多重（ｏｒｔｈｏｇｏｎａｌ  ｆｒｅｑｕｅｎｃｙ−ｄｉｖｉｓｉｏｎ  ｍｕｌｔｉｐｌｅｘｉｎｇ：ＯＦＤＭ）および直角の周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ：ＯＦＤＭＡ）技術を利用する無線通信システムにおいて使用され得る例の送信機および受信機を例示する。
【図４】図４は、複数の接続のアクテビティに基づいた移動局の有効性を例示する。
【図５】図５は、不活発な接続に関連するデータのための活発な接続からのバンド幅の利用のために例の動作を例示する。
【図５Ａ】図５Ａは、図５の例の動作に対応する手段のブロック図である。
【図６】図６は、本開示の実施例に従って、不活発な期間の間にバンド幅を利用する接続を例示する。
【図７】図７は活発な接続からのバンド幅を利用する場合に先行を確立するために例の動作を例示する。
【図７Ａ】図７Ａは、図７の例の動作に対応する手段のブロック図である。
【図８Ａ】図８Ａは、本開示の実施例に従って、先行ビットがイネーブルにならない場合に不活発の期間の間にバンド幅を利用する接続を例示する。
【図８Ｂ】図８Ｂは、本開示の実施例に従って、先行ビットがイネーブルになる場合に不活発の期間の間にバンド幅を利用する接続を例示する。
【詳細な説明】
【０００７】
ＩＥＥＥ８０２．１６の下でのＯＦＤＭとＯＦＤＭＡの無線通信システムは、多数のサブキャリアの周波数の直交性に基づいたシステムにおいてサービスのために登録された無線デバイス（つまり、移動局）と通信するために基地局のネットワークを使用し、マルチパスフェージングと干渉に対する抵抗のような広帯域の無線通信のための多くの技術的な利点を達成するためにインプリメントすることができる。基地局（ｂａｓｅ  ｓｔａｔｉｏｎ：ＢＳ）は、それぞれ、移動局（ｍｏｂｉｌｅ  ｓｔａｔｉｏｎ：ＭＳ）間のデータを伝える無線周波数（ｒａｄｉｏ  ｆｒｅｑｕｅｎｃｙ：ＲＦ）信号を発信し、受信する。
【０００８】
ＭＳで電力を節約するために、ＩＥＥＥ  ８０２．１６標準は電力節約クラス（ｐｏｗｅｒ  ｓａｖｉｎｇ  ｃｌａｓｓ：ＰＳＣ）を定義し、そこでは、ＭＳがスリープウィンドウ、あるいはより一般的に、低電力ウィンドウの間に１つ以上のコンポーネントの電力を落とし得る。ＭＳは、ＰＳＣが活性化されるかどうか決定するために断続的なリスニングウィンドウの間に活動のためにモニターするために周期的に立ち上がる。ＭＳは、同じ基地局との異なる接続のためにＰＳＣを別々に活性化し得る。しかしながら、不運にも、ＭＳは、各接続のリスニングウィンドウの間にコンポーネントに電力を供給しなければならない。１つの接続用のリスニングウィンドウが、他の接続のためのスリープ、つまり低消費電力のウィンドウとオーバーラップし得るので、省電力は最適ではない。
【０００９】
第１の接続のリスニングウィンドウが第２の接続の低消費電力ウィンドウでオーバーラップする場合、本開示のある実施例は移動局が送信するべき第１の接続あるいは第２の接続に関連する受信データのバンド幅を利用することを可能にする。
【００１０】
典型的な無線通信システム
ここに記述された技術は、直交多重化スキームに基づく通信システムを含むさまざまな広帯域無線通信システムに使用され得る。そのような通信システムの例は直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）システム、シングルキャリア周波数分割多元接続（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  ＡｃｃｅｓｓＳＣ−ＦＤＭＡ）システムなどを含んでいる。ＯＦＤＭＡシステムは直交周波数分割多重化（ＯＦＤＭ）を利用する。それは、多数の直交アへ総合システムのバンド幅を分割する変調技術である。これらのサブキャリアは、また、トーン、ビンなどと呼ばれ得る。ＯＦＤＭで、サブキャリアは、それぞれ、データにより独立して変調され得る。ＳＣ−ＦＤＭＡシステムは、システムのバンド幅を横切って分配されるサブキャリア上で送信するためにインターリーブされたＦＤＭＡ（ｉｎｔｅｒｌｅａｖｅｄ  ＦＤＭＡ：ＩＦＤＭＡ）を、隣接したサブキャリアのブロック上で送信するために局地化されたＦＤＭＡ（ｌｏｃａｌｉｚｅｄ  ＦＤＭＡ：ＬＦＤＭＡ）を、隣接したサブキャリアの多重ブロック上で送信するために向上されたＦＤＭＡ（ｅｎｈａｎｃｅｄ  ＦＤＭＡ：ＥＦＤＭＡ）を利用し得る。一般に、変調シンボルは、ＯＦＤＭを備えた周波数領域、およびＳＣ−ＦＤＭＡを備えた時間領域において送られる。
【００１１】
直交多重化スキームに基づいた通信システムの１つの例は、ＷｉＭＡＸシステムである。
【００１２】
ＷｉＭＡＸ（それはマイクロウエーブアクセス（Ｍｉｃｒｏｗａｖｅ  Ａｃｃｅｓｓ）のための世界的な共同利用（Ｗｏｒｌｄｗｉｄｅ  Ｉｎｔｅｒｏｐｅｒａｂｉｌｉｔｙ）を表わす）は、高スループットに長い距離以上の広帯域の接続を供給する標準に基づいた広帯域無線技術である。今、ＷｉＭＡＸの２つの主要アップリケ―ションがある。固定ＷｉＭＡＸおよびモバイルのＷｉＭＡＸである。例えば、固定ＷｉＭＡＸアップリケ―ションは、家庭とビジネスへの広域アクセスを可能にする、ポイントからマルチポイントのものである。モバイルＷｉＭＡＸは、ＯＦＤＭとＯＦＤＭＡに基づき、広帯域の速度でセルラーネットワークの十分な移動を提示する。
【００１３】
ＩＥＥＥ８０２．１６ｘは、固定のあるいはモバイルの広域無線アクセス（ｂｒｏａｄｂａｎｄ  ｗｉｒｅｌｅｓｓ  ａｃｃｅｓｓ：ＢＷＡ）に対するエアーインターフェースを定義する新興の標準組織である。これらの標準は少なくとも４つの異なる物理層（ｐｈｙｓｉｃａｌ  ｌａｙｅｒ：ＰＨＹ）および１つの媒体アクセス制御（ｍｅｄｉａ  ａｃｃｅｓｓ  ｃｏｎｔｒｏｌ：ＭＡＣ）層を定義する。４つの物理層のＯＦＤＭおよびＯＦＤＭＡ物理層は、それぞれ固定のおよびモバイルのＢＷＡエリアで最もポピュラーなものである。
【００１４】
図１は、本開示の実施例が使用されて得る無線通信システム１００の例を例示する。無線通信システム１００は広帯域無線通信システムであり得る。無線通信システム１００は、各々が基地局１０４によってサービスされるか多くのセル１０２のために通信を提供し得る。基地局１０４はユーザ端末１０６と通信する固定局であり得る。基地局１０４は、代わりに、アクセスポイント、ノード（Ｎｏｄｅ）Ｂ、あるいはいくつかの他の用語で呼ばれ得る。
【００１５】
図１は、システム１００の全体にわたって分散したさまざまなユーザ端末１０６を表す。ユーザ端末１０６は固定される（つまり、静的）あるいはモバイルであり得る。ユーザ端末１０６は、代わりに、遠隔局、アクセス端末、端末、加入者ユニット、移動局、局、ユーザ設備などと呼ばれ得る。ユーザ端末１０６は、携帯電話、携帯情報端末（ｐｅｒｓｏｎａｌ  ｄｉｇｉｔａｌ  ａｓｓｉｓｔａｎｔ：ＰＤＡ）、ハンドヘルド装置、無線モデム、ラップトップコンピュータ、パーソナルコンピュータなどのような無線デバイスであり得る。
【００１６】
さまざまなアルゴリズムおよび方法は、基地局１０４とユーザ端末１０６の間の無線通信システム１００において送信に使用され得る。例えば、信号はＯＦＤＭ／ＯＦＤＭＡ技術に従って基地局１０４とユーザ端末１０６の間で送信され受信され得る。その場合、無線通信システム１００はＯＦＤＭ／ＯＦＤＭＡシステムと呼ばれ得る。
【００１７】
基地局１０４からユーザ端末１０６への送信を促進する通信リンクは、ダウンリンク１０８と呼ばれ得、また、ユーザ端末１０６から基地局１０４への送信を促進する通信リンクは、アップリンク１１０と呼ばれ得る。あるいは、ダウンリンク１０８はフォワードリンクまたはフォワードチャネルと呼ばれ得、また、アップリンク１１０はリバースリンクあるいはリバースチャネルと呼ばれ得る。
【００１８】
セル１０２は多数のセクター１１２に分割され得る。セクター１１２はセル１０２内の物理的なカバー範囲である。無線通信システム１００内の基地局１０４は、セル１０２の特別のセクター１１２内の電力のフローを集中するアンテナを利用し得る。そのようなアンテナは指向性アンテナと呼ばれ得る。
【００１９】
図２は、無線通信システム１００内に使用されてもよい無線デバイス２０２に利用され得るさまざまなコンポーネントを例示する。無線デバイス２０２は、ここに記述されたさまざま方法を実現するように構成され得る装置の例である。無線スデバイス２０２は、基地局１０４あるいはユーザ端末１０６であり得る。
【００２０】
無線デバイス２０２は、無線デバイス２０２の動作をコントロールするプロセッサ２０４を含み得る。プロセッサ２０４も中央処理装置（ｃｅｎｔｒａｌ  ｐｒｏｃｅｓｓｉｎｇ  ｕｎｉｔ：ＣＰＵ）と呼ばれ得る。読み取り専用メモリ（ｒｅａｄ−ｏｎｌｙ  ｍｅｍｏｒｙ：ＲＯＭ）およびランダムアクセスメモリ（ｒａｎｄｏｍ  ａｃｃｅｓｓ  ｍｅｍｏｒｙ：ＲＡＭ）の両方を含み得るメモリ２０６は、プロセッサ２０４に命令とデータを提供する。メモリ２０６の一部は、さらに不揮発性ＲＡＭ（ｎｏｎ−ｖｏｌａｔｉｌｅ  ｒａｎｄｏｍ  ａｃｃｅ  ｍｅｍｏｒｙ：ＮＶＲＡＭ）を含み得る。プロセッサ２０４は、典型的には、メモリ２０６内に格納されたプログラム命令に基づいた論理的および数学的な演算を行なう。メモリ２０６内の命令は、ここに記述された方法をインプリメントするために実行可能であり得る。
【００２１】
無線スデバイス２０２は、さらに、無線デバイス２０２と遠隔地の間のデータの送信および受信を許可するために送信機２１０および受信機２１２を含み得るハウジング２０８を含み得る。送信機２１０および受信機２１２はトランシーバ２１４へ組み合わせられ得る。アンテナ２１６は、ハウジング２０８に取り付けられ、電気的にトランシーバ２１４につながれ得る。無線デバイス２０２は、さらに多数の送信機、多数の受信機、多数のトランシーバおよび／または多数のアンテナを含み得る（図示されない）。
【００２２】
無線デバイス２０２は、さらにトランシーバ２１４によって受信された信号のレベルを検知し量を測るために使用され得る信号検出器２１８を含み得る。信号検出器２１８は、総エネルギー、１つの記号当たりの１つのサブキャリア当たりのエネルギー、スペクトル密度および他の信号のような信号を検知し得る。無線デバイス２０２は、さらに信号の処理で使用されるデジタル信号プロセッサ（ｄｉｇｉｔａｌ  ｓｉｇｎａｌ  ｐｒｏｃｅｓｓｏｒ：ＤＳＰ）２２０を含み得る。
【００２３】
無線デバイス２０２のさまざまなコンポーネントは、バスシステム２２２によってともに連結され得、それはデータバスに加えて電力バス、制御信号バスおよびステータス信号バスを含み得る。
【００２４】
図３は、ＯＦＤＭ／ＯＦＤＭＡを利用する無線通信システム１００内に使用され得る送信機３０２の例を例示する。送信機３０２の部分は無線デバイス２０２の送信機２１０においてインプリメントされ得る。送信機３０２は、ダウンリンク１０８上のユーザ端末１０６へデータ３０６を送信するための基地局１０４においてインプリメントされ得る。送信機３０２も、アップリンク１１０上の基地局１０４へデータ３０６を送信するためのユーザ端末１０６にインプリメントされてもよい。
【００２５】
送信されるデータ３０６は、直並列（ｓｅｒｉａｌ−ｔｏ−ｐａｒａｌｌｅｌ：Ｓ／Ｐ）のコンバータ３０８への入力として提供されて示される。Ｓ／Ｐコンバータ３０８はＮ個の並列データストリーム３１０へ送信データを分割し得る。
【００２６】
その後、Ｎ個の並列データストリーム３１０はマッパ３１２に入力として提供され得る。
【００２７】
マッパ３１２はＮ個のコンステレーション（ｃｏｎｓｔｅｌｌａｔｉｏｎ）ポイント上にＮ並列データストリーム３１０をマップし得る。マッピングは、二進移相変調（ｂｉｎａｒｙ  ｐｈａｓｅ−ｓｈｉｆｔ  ｋｅｙｉｎｇ：ＢＰＳＫ）、垂直位相偏移変調（ｑｕａｄｒａｔｕｒｅ  ｐｈａｓｅ−ｓｈｉｆｔ  ｋｅｙｉｎｇ：ＱＰＳＫ）、８位相偏移変調（８  ｐｈａｓｅ−ｓｈｉｆｔ  ｋｅｙｉｎｇ：８ＰＳＫ）、直交振幅変調など（ｑｕａｄｒａｔｕｒｅ  ａｍｐｌｉｔｕｄｅ  ｍｏｄｕｌａｔｉｏｎ：ＱＡＭ）のようなある変調コンステレーションを使用して行われ得る。したがって、マッパ３１２はＮ個の並列シンボルストリーム３１６を出力することができ、各々の記号ストリーム３１６は、逆高速フーリエ変換（ｉｎｖｅｒｓｅ  ｆａｓｔ  Ｆｏｕｒｉｅｒ  ｔｒａｎｓｆｏｒｍ：ＩＦＦＴ）３２０のＮ個の直交サブキャリアのうちの１つに対応する。これらのＮ個の並列シンボルストリーム３１６は、周波数領域で表わされ、ＩＦＦＴコンポーネント３２０によってＮ個の並列時間領域サンプルストリーム３１８に変換され得る。
【００２８】
用語に関する簡単な注釈は今提供されるだろう。周波数領域のＮ並列変調は、周波数領域のＮ個の変調シンボルと等しく、それは、周波数領域のＮ個のマッピングおよびＮポイントＩＦＦＴと等しく、それは、時間領域における一つの（有用な）シンボルに等しく、それは時間領域のＮサンプルと等しい。時間領域の１つのＯＦＤＭシンボル、Ｎｓは、Ｎｃｐ（１つのＯＦＤＭシンボル当たりのガードサンプルの数）＋Ｎ（１つのＯＦＤＭシンボル当たりの有用なサンプルの数）と等しい。
【００２９】
Ｎ並列時間領域サンプルストリーム３１８は、並直列（Ｐ／Ｓ）コンバータ３２４によってＯＦＤＭ／ＯＦＤＭＡ記号ストリーム３２２に変換され得る。ガード挿入コンポーネント３２６は、ＯＦＤＭ／ＯＦＤＭＡ記号ストリーム３２２において連続するＯＦＤＭ／ＯＦＤＭＡ記号の間にガード区間を挿入し得る。そして、ガード挿入コンポーネント３２６の出力は、無線周波数（ｒａｄｉｏ  ｆｒｅｑｕｅｎｃｙ：ＲＦ）フロントエンド３２８によって希望の送信周波数帯域にアップコンバータで変換され得る。そして、アンテナ３３０は、結果としての信号３３２を送信し得る。
【００３０】
図３は、さらに、ＯＦＤＭ／ＯＦＤＭＡを利用する無線デバイス２０２内において使用され得る受信機３０４の例を例示する。受信機３０４の部分は、無線デバイス２０２の受信機２１２においてインプリメントされ得る。受信機３０４は、ダウンリンク１０８上の基地局１０４からデータ３０６を受信するためのユーザ端末１０６においてインプリメントされ得る。受信機３０４は、また、アップリンク１１０上のユーザ端末１０６からデータ３０６を受信するための基地局１０４においてインプリメントされ得る。
【００３１】
送信された信号３３２は無線チャネル３３４上に動いて示される。信号３３２’がアンテナ３３０’によって受信される場合、受信信号３３２’は、ＲＦフロントエンド３２８’によってベースバンド信号にダウンコンバート（ｄｏｗｎｃｏｎｖｅｒｔ）され得る。そして、ガード除去コンポーネント３２６’は、ガード挿入コンポーネント３２６によってＯＦＤＭ／ＯＦＤＭＡ記号の間に挿入されたガード区間を削除し得る。
【００３２】
ガード除去コンポーネント３２６’の出力は、Ｓ／Ｐコンバータ３２４’に提供され得る。Ｓ／Ｐコンバータ３２４’は、ＯＦＤＭ／ＯＦＤＭＡ記号ストリーム３２２’をＮ個の並列時間領域シンボルストリーム３１８’に分割し得て、その各々は、Ｎ個の直交サブキャリアのうちの１つに相当する。高速フーリエ変換（ＦＦＴ）コンポーネント３２０’は、Ｎ個の並列時間領域シンボルストリーム３１８’を周波数領域に変換し、およびＮ個の並列周波数領域シンボルストリーム’３１０を出力し得る。
【００３３】
デマッパ３１２’は、Ｎ個の並列データストリーム３１０’を出力するマッパ３１２によって実行される記号マッピング動作の逆を実行し得る。Ｐ／Ｓコンバータ’３０８は、単一データストリーム３０６’へＮ個の並列データストリーム３１０’を組み合わせ得る。理想的には、このデータストリーム３０６’は、送信機３０２に入力として提供されるデータ３０６に相当する。そのエレメント’３０８’、３１０’、３１２’、３１６’、３２０’、３１８および３２４’は、すべて、ベースバンドプロセッサにおいて見つかり得る。
【００３４】
ＷｉＭＡＸシステムスリープモードにおけるマルチ電力節約クラスの典型的な送信スケジューリング
異なるタイプのサービスの質（Ｑｕａｌｉｔｙ  ｏｆ  Ｓｅｒｅｖｉｃｅ：ＱｏＳ）のサポートはＷｉＭＡＸ標準の一部である。強いＱｏＳサポートは、接続指向のＭＡＣアーキテクチャの使用により達成され得る。ＱｏＳ制御を促進するために、どんなデータ伝送も発生前に、ＢＳとＭＳは、２つのＭＡＣ層の間一般的に接続として参照される、一方向の論理リンクを確立する。いくつかの事例では、ＭＳとＢＳは、与えられたどの時間にもいくつかの接続を確立し得る。各接続は、接続識別子（ｃｏｎｎｅｃｔｉｏｎ  ｉｄｅｎｔｉｆｉｅｒ：ＣＩＤ）によって識別され得て、それは、特有のリンクに関するデータ送信用の仮アドレスとしてサービスをする。
【００３５】
異なるデータ配送ニーズを備えた種々さまざまなアップリケ―ションをサポートするために、ＷｉＭＡＸ標準は、ＢＳの接続上のデータ伝送用のＭＡＣスケジューラによって支援されるべき、さまざまな異なるスケジューリングサービスまたはデータ配送サービスを定義する。スケジューリングサービスあるいはデータ配送サービスは、非請求の許可サービス（ｕｎｓｏｌｉｃｉｔｅｄ  ｇｒａｎｔ  ｓｅｒｖｉｃｅ：ＵＧＳ）、リアルタイム可変率（ｒｅａｌ−ｔｉｍｅ  ｖａｒｉａｂｌｅ  ｒａｔｅ：ＲＴ−ＶＲ）、拡張リアルタイム可変率（ｅｘｔｅｎｄｅｄ  ｒｅａｌ−ｔｉｍｅ  ｖａｒｉａｂｌｅ  ｒａｔｅ：ＥＲＴ−ＶＲ）、非リアルタイム可変率（ｎｏｎ−ｒｅａｌ−ｔｉｍｅ  ｖａｒｉａｂｌｅ  ｒａｔｅ：ＮＲＴ−ＶＲ）および最善の労力（ｂｅｓｔ  ｅｆｆｏｒｔ：ＢＥ）を含む。ＢＳとＭＳの間の各接続がＣＩＤの使用で個々に識別可能なように、各接続は、ある程度まで、前記ＢＳとＭＳの間の他のすべての他の接続から独立していて、また、異なる接続には異なるスケジューリングサービスを有し得る。
【００３６】
さらに、少なくとも１つの電力節約クラス（ＰＳＣ）がリスニングウィンドウにある場合、ＭＳは利用可能かもしれない。図４は、２つのＰＳＣ（例えば、ＰＳＣ１とＰＳＣ２）の活動に基づいたＭＳ４００の有効性４１０を例示する。例えば、ＰＳＣ１は、リスニングウィンドウ４２０が持続期間において一定である間に、持続時間にわたって増加するスリーピングウィンドウ４２２を有し得る。反対に、ＰＳＣ２は持続において一定であるスリーピングウィンドウ４３２およびリスニングウィンドウ４３０を有し得る。結果は、この例において、ＭＳがＰＳＣ１のリスニングウィンドウ４２０あるいはＰＳＣ２のリスニングウィンドウ４３０のいずれかの間にサービスをするＢＳに利用可能な非周期的なスリープ周期を備えるＭＳ４００である。
【００３７】
互いに関して独立した様々なＰＳＣのスリープウィンドウ期間の結果、ＭＳ４００は、最良に効率的な方法におけるよりも少なく、利用可能なバンド幅を利用し得る。例えば、ＭＳ４００は第１のＰＳＣ（例えば、ＰＳＣ１）に従って第１の接続に割り当てられるリスニングウィンドウの間に利用可能なＢＷを利用しなくてもよく、しかしながら、第２の接続におけるデータ伝送は、第２のＰＳＣ（例えば、ＰＳＣ２）に従って第２の接続に割り当てられたリスニングウィンドウまで不必要に延期され得る。
【００３８】
従って、ＭＳ４００は、本開示の実施例は、ＭＳ４００がスリープウィンドウにおける第２のＰＳＣに関係するデータを送信または受信するためにリスニングウィンドウの第１のＰＳＣバンド幅を利用することを可能にし得る。
【００３９】
ＭＳ４００が、スリープウィンドウの第２のＰＳＣに関係するデータを送信または受信するためにリスニングウィンドウの第１のＰＳＣのバンド幅を利用することを可能にするために、ある実施例は、ＰＳＣの定義に１つ以上の新しいパラメータを供給し得る。例えば、ある実施例は、そのスリープウィンドウにおけるＰＳＣが他のＰＳＣのリスニングウィンドウにおける送信／受信データに許可されるかどうか示す１枚以上のバンド幅利用フラグを提供してもよい。いくつかの事例では、０（例えば、セットされていない）の値を備えたバンド幅利用フラグは、そのスリープウィンドウにおけるＰＳＣが、他のＰＳＣのリスニングウィンドウの間にデータを送信または受信することを許可されたことを示す一方、１の値（例えば、セットされている）バンド幅利用フラグは、スリープウィンドウにおけるＰＳＣが他のＰＳＣのリスニングウィンドウの間にデータを送信する／受信することを許可されることを示し得る。
【００４０】
いくつかの実施例は、そのリスニングウィンドウにおけるＰＳＣがスリープウィンドウにおける他のＰＳＣより高い優先度を持っているかどうか示す先行フラグを提供し得る。例えば、０の値を備えた先行フラグは、リスニングウィンドウにおけるＰＳＣがスリープウィンドウにおける他のＰＳＣと同じ優先度を持つことを示す一方、１の値を備えた先行フラグが、そのリスニングウィンドウにおけるＰＳＣがスリープウィンドウにおけるＰＳＣより高い優先度を持っていることを示し得る。
【００４１】
いくつかの実施例において、先行フラグおよびバンド幅利用フラグの両方は、ＷｉＭＡＸ  ＰＳＣの活性化手順によって定義され得る。例えば、先行フラグおよびバンド幅利用フラグの両方は、ＰＳＣの活性化に先立ってＭＳとＢＳの間で交換されたＭＯＢ＿ＳＬＰ−ＲＥＱメッセージあるいはＭＯＢ＿ＳＬＰ−ＲＳＰ  ＭＡＣ管理メッセージを使用して定義され得る。
【００４２】
図５は、スリープウィンドウにおける第１のＰＳＣに関係するデータを送信あるいは受信するためにリスニングウィンドウにおける第２のＰＳＣのバンド幅を利用するのにＭＳ４００によって使用され得る例の動作を例示する。動作５００は、ＭＳがよりよく利用可能なバンド幅（ＢＷ）を利用することを可能にしようとして例えばＭＳによって実行され得る。
【００４３】
動作は、５０２で、ＭＳ４００が第１の接続に第１のＰＳＣを選び、第１の接続に関して低電力状態に入ることで始まる。上に記述されるように、低電力状態は、１つ以上のリスニングウィンドウと同様に１つ以上のスリープウィンドウ、あるいは１つ以上の低電力ウィンドウを含み得る。これらのウィンドウの期間および周波数は、少なくとも部分において選ばれたＰＳＣに基づき得る。例えば、タイプ１のＰＳＣは、各々の後のスリープウィンドウが、前のスリープウィンドウの大きさの２倍であるが、最大の指定されたスリープウィンドウよりも大きくない間に期間において一定を維持するリスニングウィンドウを有する。反対に、タイプ２のＰＳＣは、スリープウィンドウが持続期間において一定を維持する持続期間において一定を維持するリスニングウィンドウを有し得る。
【００４４】
５０４で、ＭＳは第２の接続に第２のＰＳＣを選び、第２の接続に関して低電力状態に入り得る。上に記述されるように、低電力状態は、１つ以上のリスニングウィンドウと同様に、１つ以上のスリープウィンドウ、あるいは１つ以上の低電力ウィンドウを含み得る。５０６で、第１の接続に割り当てられたスリープウィンドウ、および第２の接続に割り当てられたリスニングウィンドウの間に、ＭＳ４００は、第１の接続に関係するデータを送信または受信するために第２の接続に割り当てられたＢＷを利用し得る。
【００４５】
図６は、本開示の実施例に従って、例の動作５００のアプリケ―ションを例示する。この例において、ＭＳ４００は、第１の接続および第２の接続を持っている。いくつかの事例において、ＭＳ４００は、第１のＰＳＣに従って第１の接続に関して低電力状態に入り得る。例えば、ＭＳ４００は、第１の接続が、サービスＱｏＳのＢＥまたはＮＲＴ−ＶＲ品質ＱｏＳを持つことを判断し、第１の低電力状態に入る場合にタイプＩのＰＳＣを選び得る。第１接続に関しての低電力状態にいる一方、ＭＳ４００は第２のＰＳＣに従って第２の接続に関して低電力状態に入り得る。例えば、ＭＳ４００は、第２の接続がＵＧＳまたはＲＴ−ＶＲ  ＱｏＳを持っており、第２の低電力状態に入る場合にタイプＩＩのＰＳＣを選ぶ得ることを決め得る。
【００４６】
ある任意の時点では、ＭＳ４００は、例えば、ＭＡＣプロトコルデータユニット（ＭＡＣ  ｐｒｏｔｏｃｏｌ  ｄａｔａ  ｕｎｉｔ：ＭＰＤＵ）に送信されるあるいは受信される準備ができている第１の接続に関連するデータを持ち得る。しかしながら、第１の接続は、スリープウィンドウにあり得る。選ばれたＰＳＣ（例えば、ＰＳＣ１）がスリープウィンドウ４２２の間のＭＰＤＵを送信するあるいは受信するために他の活動的なＰＳＣのＢＷを利用するために定義されている場合に、ＭＰＤＵ１で例示されるように、ＭＳ４００はＭＰＤＵを送るか受け取る際にリスニングウィンドウ４２０まで待つ必要がなくてもよい。ある実施例において、スリープウィンドウの間にＭＰＤＵを送信するか受信するために他の活動的なＰＳＣのＢＷを利用するためにＰＳＣを定義する場合、ＭＳ４００はバンド幅利用フラグを使用し得る。しかしながら、選ばれたＰＳＣ（例えば、ＰＳＣ２）がスリープウィンドウ４３２の間にＭＰＤＵを送信するか受信するために他の活動的なＰＳＣのＢＷを利用するために定義されていない場合、ＭＰＤＵ２で例証されるように、ＭＳ４００はＭＰＤＵを送るか受け取る前に後のリスニングウィンドウ４３０まで待つ必要があり得る。
【００４７】
いくつかの事例において、第１のＰＳＣはスリープウィンドウの間にＭＰＤＵを送信するあるいは受信するために他の接続のＢＷを利用するために定義され得る；しかしながら、第２の接続は、それ自身のＭＰＤＵを送信するあるいは受信するためにその割り当てられたＢＷを利用し得る。従って、他のＰＳＣとの接続に関連するＭＰＤＵを送信するあるいは受信するために１つのＰＳＣとの接続に割り当てられたＢＷを利用する場合に、本開示の実施例は、また、異なるＰＳＣを使用する接続の間の先行を決定するために、ＰＳＣの定義に追加のパラメータを提供し得る。
【００４８】
図７は、別のＰＳＣとの接続に関連するＭＰＤＵを送信するあるいは受信するために１つのＰＳＣとの接続に割り当てられたＢＷを利用する場合に異なるＰＳＣを使用する接続の間の先行の確立のために例の動作を例示する。動作７００は、例えば、２つ以上の異なるＰＳＣとの少なくとも２つの以上の接続を使用するＭＳによって実行され、少なくとも第１のＰＳＣは、ＭＳが第１の接続に関連するデータを送信するか受信するために第２の接続に割り当てられたＢＷを利用し得るように定義される。
【００４９】
動作は、７０２で、第１のＰＳＣとの第１の接続が、スリープウィンドウにあり、第２のＰＳＣとの第２の接続がリスニングウィンドウにあるかどうか判断するＭＳで始まる。
【００５０】
第１の接続が、スリープウィンドウにないか、または、第２の接続がリスニングウィンドウにない場合、７０４で例証されるように、適切な時に、ＭＳはＭＰＤＵを送信し得る。
【００５１】
例えば、第１の接続および第２の接続の両方がリスニングウィンドウにある場合、ＭＳは先着順でＭＰＤＵを送信し得る。代わりに、ＭＳは、第１および第２の接続のＱｏＳパラメータ基づいたＭＰＤＵの送信をスケジュールし得る。
【００５２】
しかしながら、第１の接続がスリープウィンドウにあり、第２の接続がリスニングウィンドウにある場合、ＭＳは先行フラグが７０６でイネーブルになるかどうか判断し得る。いくつかの実施例では、ＭＳは、第２の接続に関連するデータが第１の接続に関連するデータに対する優先権を持っているかどうか判断する第２の接続の先行フラグを調査し得る。
【００５３】
第２の接続のための先行フラグがイネーブルにならない場合、ＭＳは、７０８で、適切な時に、第１の接続に関連するＭＰＤＵを送信または受信するために第２の接続に割り当てられたＢＷを利用し得る。
【００５４】
例えば、図８Ａは、ＭＳが２つの異なるＰＳＣとの２つの接続をしているシナリオを例示する。第１の接続は、タイプＩのＰＳＣに従って低電力状態にある。反対に、第２の接続は、タイプＩＩのＰＳＣに従って低電力状態にある。本例において、第１の接続のＰＳＣは、第１の接続に関連するＭＰＤＵを送信するあるいは受信するために第２の接続に割り当てられたＢＷを利用することが可能であるように定義される。さらに、第２の接続のＰＳＣは、第２の接続がリスニングウィンドウにあっても、第２の接続に関連するＭＰＤＵが第１の接続に関連するＭＰＤＵに優先しないように定義される。従って、ＭＳが、送信されるまたは受信されるよう準備ができている第１の接続に関連するＭＰＤＵおよび第２の接続に関連するＭＰＤＵ（例えばＭＰＤＵ１およびＭＰＤＵ２）の両方を有している場合に、ＭＳは先着順でＭＰＤＵを処理し得る。
【００５５】
反対に、第２の接続のための先行フラグがイネーブルになる場合、ＭＳは、７１０で、第２の接続に関連するＭＰＤＵの送信あるいは受信の後に第１の接続に関連するＭＰＤＵを送信するあるいは受信するために第２の接続に割り当てられたＢＷを利用し得る。
【００５６】
例えば、図８Ｂは、第２の接続に関連するＭＰＤＵが第１の接続に関連するＭＰＤＵに優先する（すなわち、ＰＳＣの優先フラグはイネーブルされている。）よう定義されている第２の接続のＰＳＣを除けば図８Ａにおいて例示されたものに類似するシナリオを例示する。ＭＳが、送信されるあるいは受信される準備ができている第１の接続に関連するＭＰＤＵおよび第２の接続に関係するＭＰＤＵの両方（例えば、ＭＰＤＵ１／２）を有している場合にＰＳＣ２の先行フラグがイネーブルになるので、ＭＳは、第２の接続に関係するＭＰＤＵ（ＭＰＤＵ２）を処理した後に第１の接続に関係するＭＰＤＵ（ＭＰＤＵ１）を処理し得る。
【００５７】
ここに記述されたさまざまな動作は、さまざまなハードウェア、および／またはソフトウェアコンポーネント、および／または図において例示された手段プラス機能ブロックに対応するモジュールによって行なわれ得る。一般的に、対応するカウンターパートの手段プラス機能の図を有する図において例示された方法があるところで、動作ブロックは、類似した番号付を備える手段プラス機能ブロックに相当する。例えば、図５に例示された５０２−５０６ブロックは、図５Ａの中で例示された手段プラス機能ブロック５０２Ａ−５０６Ａに相当する。同様に、図７に例示されたブロック７０２−７１０は、図７Ａにおいて例示された手段プラス機能ブロック７０２Ａ−７１０Ａに相当する。
【００５８】
ここに使用されたように、用語「決定する（ｄｅｔｅｒｍｉｎｇ）」はさまざまな動作を包含する。例えば、「決定する」は、算出する（ｃａｌｃｕｌａｔｉｎｇ）こと、計算する（ｃｏｍｐｕｔｉｎｇ）こと、処理する（ｐｒｏｃｅｓｓｉｎｇ）、導き出す（ｄｅｒｉｖｉｎｇ）、調査する（ｉｎｖｅｓｔｉｇａｔｉｎｇ）、参照する（ｌｏｏｋｉｎｇ  ｕｐ）こと（例えば、テーブル、データベース、あるいは他のデータ構造において参照する）、確認する（ａｓｃｅｒｔａｉｎｉｎｇ）ことなどを含み得る。さらに、「決定する」は受信する（ｒｅｃｅｉｖｉｎｇ）こと（例えば、情報を受信すること）、アクセスすること（例えば、メモリ内のデータをアクセスすること）、およびその他類似のものを含み得る。さらに、「決定する」は解決する（ｒｅｓｏｌｖｉｎｇ）こと、選択する（ｓｅｌｅｃｔｉｎｇ）こと、選ぶ（ｃｈｏｏｓｉｎｇ）こと、確立する（ｅｓｔａｂｌｉｓｈｉｎｇ）こと、およびその他類似のものを含み得る。
【００５９】
情報と信号は様々な異なるテクノロジーおよびテクニックの任意のものを使用して表わされ得る。例えば、上記の記述の全体にわたって参考され得るデータ、命令、コマンド、情報、信号、および類似のものは、電圧、電流、電磁波、磁界あるいは磁粒子、光の界あるいは光学粒子、あるいはそれの任意の組合せによって表わされ得る。
【００６０】
本開示に関して記述されたさまざまな例示された論理ブロック、モジュール、および回路は、汎用プロセッサ、デジタル信号プロセッサ（ｄｉｇｉｔａｌ  ｓｉｇｎａｌ  ｐｒｏｃｅｓｓｏｒ：ＤＳＰ）、特定用途向けＩＣ（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ信号（ｆｉｅｌｄ  ｐｒｏｇｒａｍｍａｂｌｅ  ｇａｔｅ  ａｒｒａｙ  ｓｉｇｎａｌ：ＦＰＧＡ）装置、あるいは他のプログラマブルロジックデバイス、個別のゲートロジックあるいはトランジスタロジック、個別のハードウェアあるいはここに記述された機能の実行することを目指したそれらの任意の組合せにおいてインプリメントされ得る。汎用プロセッサはマイクロプロセッサであり得るが、代わりに、プロセッサは任意の市販のプロセッサ、コントローラ、マイクロコントローラ、あるいはステートマシンであり得る。プロセッサは、また、コンピューティング装置、例えばＤＳＰとマイクロプロセッサの組合せ、複数のマイクロプロセッサ、ＤＳＰコアと協働する１個以上のマイクロプロセッサ、あるいは他のそのような構成の組合せとしてインプリメントされ得る。
【００６１】
本開示に関して記述された方法またはアルゴリズムのステップは、ハードウェアにおいて、プロセッサによって実行されたソフトウェアモジュールにおいて、あるいは２つの組合せにおいて直接具体化され得る。ソフトウェアモジュールは、当該技術において知られている記憶媒体の任意の形式に存在し得る。使用され得る記憶媒体のいくつかの例は、ＲＡＭメモリ、フラッシュメモリー、ＲＯＭメモリ、ＥＰＲＯＭメモリ、ＥＥＰＲＯＭメモリ、レジスタ、ハードディスク、取外し可能ディスク、ＣＤ−ＲＯＭなどを含む。ソフトウェアモジュールは、単一命令、あるいは多くの命令を含み、いくつかの異なる命令セグメント上に、様々なプログラムの間に、および多数の記憶媒体を横切って分配され得る。
【００６２】
記憶媒体は、プロセッサがその記憶媒体から情報を読み、その記憶媒体へ情報を書き込むことができるプロセッサにつながれ得る。代わりに、記憶媒体は、プロセッサに必須であり得る。
【００６３】
ここに示された方法は、上記方法を達成するための１つ以上のステップあるいは動作を含む。方法ステップおよび／または動作は、請求項の範囲から外れずに、互いに交換され得る。言いかえれば、ステップまたは動作の特有の順序が特定されなければ、特定のステップおよび／またはアクションの順序および／または使用は請求項の範囲から外れずに修正され得る。
【００６４】
記述された機能は、ハードウェア、ソフトウェア、ファームウェアあるいはそれの任意の組合せにおいてインプリメントされ得る。もしソフトウェアにおいてインプリメントされれば、機能は、コンピュータ可読媒体上の１つ以上命令として格納され得る。記憶媒体は、コンピュータによってアクセスすることができる任意の利用可能な媒体であり得る。限定ではなく例によって、そのようなコンピュータが可読媒体は、ＲＡＭ、ＲＯＭ、ＥＥＰＲＯＭ、ＣＤ−ＲＯＭ、または他の光学ディスク記憶装置、磁気ディスク記憶装置、あるいは他の磁気記憶装置、あるいは命令またはデータ構造の形式で希望されたプログラムコードを運ぶために使用されることができ、コンピュータによってアクセスされることができる任意の他の媒体を備えることができる。ディスク（ｄｉｓｋ）とディスク（ｄｉｓｃ）は、ここに使用されるように、ディスク（ｄｉｓｋ）がレーザーでデータを光学的に再生する一方、ディスク（ｄｉｓｃ）が通常磁気的にデータを再生する、コンパクトディスク（ｃｏｍｐａｃｔ  ｄｉｓｃ：ＣＤ）、レーザーディスク（登録商標）、光ディスク、ディジタルバーサタイルディスク（ＤＶＤ）、フロッピー（登録商標）ディスクおよびブルーレイディスクを含む。
【００６５】
ソフトウェアまたは命令は、また、伝送媒体を通して送信され得る。例えば、同軸ケーブル、光ファイバーケーブル、ツイストペア、デジタル加入者線（ｄｉｇｉｔａｌ  ｓｕｂｓｃｒｉｂｅｒ  ｌｉｎｅ：ＤＳＬ）、あるいは赤外線、ラジオおよびマイクロ波のような無線技術を使用して、ソフトウェアが、ウェブサイト、サーバー、あるいは他の遠隔ソースから送信される場合、同軸ケーブル、光ファイバーケーブル、ツイストペア、ＤＳＬあるいは赤外線、ラジオおよびマイクロ波のような無線技術は、伝送媒体の定義に含まれる。
【００６６】
さらに、図に例示されたとおり、ここに記載された方法および技術を実行するためのモジュールおよび／または他の適切な手段が、図において例示されたように、適用可能なものとしてモバイル装置および／または基地局によってダウンロードされおよびまたは別の方法で得られることが認識されるべきである。例えば、そのような装置はここに記述された方法を実行するための手段の転送を促進するためにサーバーにつながれることができる。あるいは、ここに記述された様々な方法は、モバイル装置および／または基地局が記憶手段を装置に接続または提供するさまざまな方法を得ることができるように記憶手段（例えば、ランダムアクセスメモリ（ｒａｎｄｏｍ  ａｃｃｅｓｓ  ｍｅｍｏｒｙ：ＲＡＭ）、読み取り専用メモリ（ｒｅａｄ  ｏｎｌｙ  ｍｅｍｏｒｙ：ＲＯＭ）、コンパクトディスク（ｃｏｍｐａｃｔ  ｄｉｓｃ：ＣＤ）あるいはフロッピーディスクなどのような物理的な記憶媒体）を通して提供される。さらに、ここに記載された方法および技術を装置に提供するのに適する他の技術が利用されることができる。
【００６７】
請求項が上に例示された正確な構成およびコンポーネントに限定されていないことは理解されるべきである。さまざまな修正、変更、およびバリエーションは、請求項の範囲から外れずに、上に記述された方法と装置の配置、動作および細部で行なわれ得る。
【００６８】
先のものが本開示の実施例に導かれている一方、開示の他のおよびさらなる実施例は、それの基礎的な範囲から外れずに、工夫され得て、また、それの範囲は、後に続く請求項によって決定される。
以下に本件出願の当初の特許請求の範囲を付記する。
［１］モバイル装置による無線通信のための方法であって、
第１の電力節約クラス（ｐｏｗｅｒ  ｓａｖｉｎｇ  ｃｌａｓｓ：ＰＳＣ）に従って第１の接続に関して第１の低電力状態に入ることと、
第２のＰＳＣに従って第２の接続に関して第２の低電力状態に入ることと、
および、前記第１の接続のリスニングウィンドウおよび前記第２の接続のスリープウィンドウのオーバーラップする期間に前記第２の接続に関連するデータを交換するために前記第１の接続に割り付けられるバンド幅を利用することと
を備える方法。
［２］前記第１の接続に割り付けられるバンド幅を利用することは、
前記第１の接続のリスニングウィンドウの間に前記第２の接続に関連する１つ以上のＭＡＣプロトコルデータユニット（ＭＡＣ  ｐｒｏｔｏｃｏｌ  ｄａｔａ  ｕｎｉｔ：ＭＰＤＵ）を送信することを備える［１］の方法。
［３］前記第２の接続が前記第１の接続の前記バンド幅を利用することが許可可能であることを示すために１つ以上のフラグをセットすることを備える［１］の方法。
［４］前記第１の接続に割り付けられたバンド幅を利用することは、
前記１つ以上のフラグがセットされると決定した後に前記第２の接続に関連するデータを交換することを備える［３］の方法。
［５］前記１つ以上のフラグをセットすることは、
前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送ることを備える［３］の方法。
［６］前記第１の接続に割り付けられる前記バンド幅を利用することは、
前記第１の接続に関連するデータの前記交換が前記第２の接続に関連するデータの前記交換に対する優先権を持っているかどうか最初に判断することを備える［１］の方法。
［７］前記第１の接続に割り付けられるバンド幅を利用することは、
前記第１の接続に関連するデータの前記交換が前記第２の接続に関連するデータの前記交換に対する優先権を持っていることを決めることと、
および前記第１の接続に関連するデータが交換される後に前記第２の接続に関連するデータを交換することと
を備える、［６］の方法。
［８］モバイル装置による無線通信のための装置であって、
第１の電力節約クラス（ＰＳＣ）に従って第１の接続に関して第１の低電力状態に入るためのロジックと、
第２のＰＳＣに従って第２の接続に関して第２の低電力状態に入るためのロジックと、
および前記第１の接続のリスニングウィンドウおよび前記第２の接続のスリープウィンドウのオーバーラップ期間に前記第２の接続に関連するデータを交換するために前記第１の接続に割り付けられるバンド幅を利用するためのロジックと
を備える装置。
［９］前記第１の接続に割り付けられるバンド幅を利用するための前記ロジックは、
前記第１の接続のリスニングウィンドウの間に前記第２の接続に関連する１つ以上のＭＡＣプロトコルデータユニット（ＭＰＤＵ）を送信するためのロジックを備える、［８］の装置。
［１０］前記第２の接続が前記第１の接続の前記バンド幅を利用することが許可可能であることを示すために１つ以上のフラグをセットするためのロジックをさらに備える、［８］の装置。
［１１］前記第１の接続に割り付けられたバンド幅を利用するための前記ロジックは、
前記１つ以上のフラグがセットされることを決定する後に前記第２の接続に関連するデータを交換するように構成される［１０］の装置。
［１２］前記１つ以上のフラグをセットするための前記ロジックは、
前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送信するためのロジックを備える、［１０］の装置。
［１３］前記第１の接続に割り付けられたバンド幅を利用するための前記ロジックは、
第１の接続に関連するデータの前記交換が前記第２の接続に関連するデータの前記交換に対して優先権を持っているかどうかを最初に判断するためのロジックを備える、［８］の装置。
［１４］前記第１の接続に割り付けられたバンド幅を利用するための前記ロジックは、
前記第１の接続に関連するデータの前記交換が前記第２の接続に関連するデータの前記交換に対して優先権を持っていることを決めるためのロジックと、
および、前記第１の接続に関連するデータが交換された後に前記第２の接続に関連するデータを交換するためのロジックと
を備える、［１３］の装置。
［１５］モバイル装置による無線通信のための装置であって、
第１の電力節約クラス（ＰＳＣ）に従って第１の接続に関して第１の低電力状態に入るための手段と、
第２のＰＳＣに従って第２の接続に関して第２の低電力状態に入るための手段と、
および前記第１の接続のリスニングウィンドウおよび前記第２の接続のスリープウィンドウのオーバーラップ期間の間に前記第２の接続に関連するデータを交換するために前記第１の接続に割り付けられたバンド幅を利用するための手段と
を備える装置。
［１６］前記第１の接続に割り付けられたバンド幅を利用するための前記手段は、
前記第１の接続のリスニングウィンドウにおける前記第２の接続に関連する１つ以上のＭＡＣプロトコルデータ単位（ＭＰＤＵ）を送信するための手段を備える、［１５］の装置。
［１７］前記第２の接続が前記第１の接続のバンド幅を利用することが許可可能であることを示すために１つ以上のフラグをセットするための手段をさらに備える［１５］の装置。
［１８］前記第１の接続に割り付けられたバンド幅を利用するための前記手段は、
１つ以上のフラグがセットされたと決定した後に前記第２の接続に関連するデータを交換するように構成される［１７］の装置。
［１９］１つ以上のフラグをセットするための前記手段は、
前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送信するための手段を備える［１７］の装置。
［２０］前記第１の接続に割り付けられたバンド幅を利用するための前記手段は、
前記第１の接続に関連するデータの前記交換が前記第２の接続に関連するデータの前記交換に対して優先権を持っているかどうか最初に判断するための手段を備える、［１５］の装置。
［２１］前記第１の接続に割り付けられたバンド幅を利用するための前記手段は、
前記第１の接続に関連するデータの前記交換が前記第２の接続に関連するデータの前記交換に対して優先権を持っていることを決めるための手段と、
および前記第１の接続に関連するデータが交換される後に前記第２の接続に関連するデータを前記交換するための手段と
を備える、［２０］の装置。
［２２］モバイル装置による無線装置のためのコンピュータプログラム製品であって、
その上に命令を格納するコンピュータ可読媒体を備え、
前記命令は、１台以上のプロセッサによって実行可能であり、
前記命令は、
第１の電力節約クラス（ＰＳＣ）に従って第１の接続に関して第１の低電力状態に入るための命令と、
第２のＰＳＣに従って第２の接続に関して第２の低電力状態に入るための命令と、
および第１の接続のリスニングウィンドウと第２の接続のスリープウィンドウのオーバーラップ期間の間に前記第２の接続に関連するデータを交換するために前記第１の接続に割り付けられたバンド幅を利用するための命令と
を備える、コンピュータプログラム製品。
［２３］前記第１の接続に割り付けられるバンド幅を利用するための前記命令は、
前記第１の接続のリスニングウィンドウにおける前記第２の接続に関連する１つ以上のＭＡＣプロトコルデータ単位（ＭＰＤＵ）を送信するための命令を備える［２２］のコンピュータプログラム製品。
［２４］前記第２の接続が前記第１の接続の前記バンド幅を利用することが許可可能であることを示すために１つ以上のフラグをセットするための命令をさらに備える［２２］のコンピュータプログラム製品。
［２５］前記第１の接続に割り付けられたバンド幅を利用するための前記命令は、
前記１つ以上のフラグがセットされたことを決定した後に前記第２の接続に関連するデータを交換するための命令を備える、［２４］のコンピュータプログラム製品。
［２６］前記１つ以上のフラグをセットするための前記命令は、
前記第２の接続が前記第１の接続の前記バンド幅を利用することが許可可能であることを示すＭＯＢ＿ＳＬＰ−ＲＥＱあるいはＭＯＢ＿ＳＬＰ−ＲＳＰメッセージを送信するための命令を備える［２４］のコンピュータプログラム製品。
［２７］前記第１の接続に割り付けられるバンド幅を利用するための前記命令は、
前記第１の接続に関連するデータの前記交換が前記第２の接続に関連するデータの前記交換に対して優先権を持っているかどうか最初に判断するための命令
を備える、［２２］のコンピュータプログラム製品。
［２８］前記第１に割り付けられるバンド幅を利用するための前記命令は、
前記第１の接続に関連するデータの前記交換が前記第２の接続に関連するデータの前記交換に対して優先権を持っていることを決定するための命令と、
および前記第１の接続に関連するデータが交換される後に前記第２の接続に関連するデータを交換するための命令と
を備える［２７］のコンピュータプログラム製品。
【図１】
0005318970.tif 000002
【図２】
0005318970.tif 000003
【図３】
0005318970.tif 000004
【図４】
0005318970.tif 000005
【図５】
0005318970.tif 000006
【図５Ａ】
0005318970.tif 000007
【図６】
0005318970.tif 000008
【図７】
0005318970.tif 000009
【図７Ａ】
0005318970.tif 000010
【図８Ａ】
0005318970.tif 000011
【図８Ｂ】
0005318970.tif 000012